(57)【要約】  本願の実施形態は、レンズとボイスコイルモータとの間の不十分な接着結合力による、モジュールの不十分な焦点合わせの問題を解消するために、カメラモジュールおよび端末を提供する。カメラモジュールは、レンズおよびボイスコイルモータを含み、レンズは、ボイスコイルモータ内に配置され、ボイスコイルモータの内部側面の第１の部分は、レンズの外部側面の第１の部分に取り付けられ、ボイスコイルモータの内部側面の第２の部分には、ボイスコイルモータの内部側面の第１の部分に対して凹んだねじ山構造が設けられ、ねじ山構造およびレンズの外部側面の第２の部分は溝部を形成し、溝部は、接着剤で充填される。ボイスコイルモータの内部側面の第１の部分は、ボイスコイルモータの内部側面の下部であり、ボイスコイルモータの内部側面の第２の部分は、ボイスコイルモータの内部側面の上部である。レンズの外部側面の第１の部分は、レンズの外部側面の下部であり、レンズの外部側面の第２の部分は、レンズの外部側面の上部である。本願の実施形態は、ボイスコイルモータおよびレンズを共に固定するために応用可能である。
2020533623.tif 000002
【特許請求の範囲】
【請求項１】
カメラモジュールであって、前記カメラモジュールが、レンズおよびボイスコイルモータＶＣＭを備え、前記レンズが、前記ボイスコイルモータ内に配置され、
前記ボイスコイルモータの内部側面の第１の部分が、前記レンズの外部側面の第１の部分に取り付けられ、
前記ボイスコイルモータの前記内部側面の第２の部分には、前記ボイスコイルモータの前記内部側面の前記第１の部分に対して凹んだねじ山構造が設けられ、前記ねじ山構造および前記レンズの前記外部側面の第２の部分が溝部を形成し、前記溝部が、接着剤で充填され、
前記ボイスコイルモータの前記内部側面の前記第１の部分が、前記ボイスコイルモータの前記内部側面の下部であり、前記ボイスコイルモータの前記内部側面の前記第２の部分が、前記ボイスコイルモータの前記内部側面の上部であり、前記レンズの前記外部側面の前記第１の部分が、前記レンズの前記外部側面の下部であり、前記レンズの前記外部側面の前記第２の部分が、前記レンズの前記外部側面の上部である、カメラモジュール。
【請求項２】
前記ボイスコイルモータの前記内部側面における前記ボイスコイルモータの前記内部側面の前記第１の部分の比率が、前記ボイスコイルモータの前記内部側面における前記ボイスコイルモータの前記内部側面の前記第２の部分の比率と等しい、請求項１に記載のカメラモジュール。
【請求項３】
前記レンズの前記外部側面が、ねじ無し滑面構造を有する、請求項１または２に記載のカメラモジュール。
【請求項４】
前記レンズの前記外部側面には、前記レンズの前記外部側面を取り囲む少なくとも１つの溝が設けられ、前記溝が、前記接着剤で充填される、請求項１または２に記載のカメラモジュール。
【請求項５】
前記ねじ山構造が、一条ねじまたは二条ねじ形態を有し、前記一条ねじまたは二条ねじ形態のねじの種類および前記溝の種類が、三角形、矩形、台形、鋸歯、および管用ねじのうちの少なくとも１つを含む、請求項４に記載のカメラモジュール。
【請求項６】
ねじ深さが、０．２ミリメートルより大きい、またはそれに等しく、かつ０．５ミリメートルより小さい、またはそれに等しい、請求項５に記載のカメラモジュール。
【請求項７】
前記ねじ山構造が、少なくとも１巻き、かつ最大で５巻きのねじ山を有する、請求項１から６のいずれか１項に記載のカメラモジュール。
【請求項８】
端末であって、前記端末がカメラモジュールを備え、前記カメラモジュールが、レンズおよびボイスコイルモータＶＣＭを含み、前記レンズが、前記ボイスコイルモータ内に配置され、
前記ボイスコイルモータの内部側面の第１の部分が、前記レンズの外部側面の第１の部分に取り付けられ、
前記ボイスコイルモータの前記内部側面の第２の部分には、前記ボイスコイルモータの前記内部側面の前記第１の部分に対して凹んだねじ山構造が設けられ、前記ねじ山構造および前記レンズの前記外部側面の第２の部分が溝部を形成し、前記溝部が、接着剤で充填され、
前記ボイスコイルモータの前記内部側面の前記第１の部分が、前記ボイスコイルモータの前記内部側面の下部であり、前記ボイスコイルモータの前記内部側面の前記第２の部分が、前記ボイスコイルモータの前記内部側面の上部であり、前記レンズの前記外部側面の前記第１の部分が、前記レンズの前記外部側面の下部であり、前記レンズの前記外部側面の前記第２の部分が、前記レンズの前記外部側面の上部である、端末。
【請求項９】
前記ボイスコイルモータの前記内部側面における前記ボイスコイルモータの前記内部側面の前記第１の部分の比率が、前記ボイスコイルモータの前記内部側面における前記ボイスコイルモータの前記内部側面の前記第２の部分の比率と等しい、請求項８に記載の端末。
【請求項１０】
前記レンズの前記外部側面が、ねじ無し滑面構造を有する、請求項８または９に記載の端末。
【請求項１１】
前記レンズの前記外部側面には、前記レンズの前記外部側面を取り囲む少なくとも１つの溝が設けられ、前記溝が、前記接着剤で充填される、請求項８または９に記載の端末。
【請求項１２】
前記ねじ山構造が、一条ねじまたは二条ねじ形態を有し、前記一条ねじまたは二条ねじ形態のねじの種類および前記溝の種類が、三角形、矩形、台形、鋸歯、および管用ねじのうちの少なくとも１つを含む、請求項１１に記載の端末。
【請求項１３】
ねじ深さが、０．２ミリメートルより大きい、またはそれに等しく、かつ０．５ミリメートルより小さい、またはそれに等しい、請求項１２に記載の端末。
【請求項１４】
前記ねじ山構造が、少なくとも１巻き、かつ最大で５巻きのねじ山を有する、請求項８から１３のいずれか１項に記載の端末。
【発明の詳細な説明】
【技術分野】
【０００１】
本発明の実施形態は、カメラモジュールおよび端末に関する。
【背景技術】
【０００２】
ボイスコイルモータ（Ｖｏｉｃｅ  Ｃｏｉｌ  Ｍｏｔｏｒ，ＶＣＭ）をレンズ（Ｌｅｎｓ）により良好に嵌め込むために、図１に示されるねじ込み構造を用いてよい。この構造において、主にボイスコイルモータとレンズとの間のねじ山の嵌合により事前に結合力が提供され、ねじ込み構造の上部からの接着剤の注入により補強が提供される。このように、レンズの外面はボイスコイルモータの内面に固定され、それによりレンズおよびボイスコイルモータが共に結合される。
【０００３】
しかしながら、カメラ／ビデオカメラ用の広開口および光学式手ぶれ補正（Ｏｐｔｉｃａｌ  Ｉｍａｇｅ  Ｓｔａｂｉｌｉｚａｔｉｏｎ，ＯＩＳ）などの先端技術により、上述のねじ込み構造では光軸合わせの精度を保証するのに不十分となっており、このことにより撮像中に画像内の「黒色の影および黒色の点」を低減する需要を満たすことがかなり困難になっている。したがって、ねじ無し滑面構造が開発されている。図２は、ねじ無し滑面構造を示す。この構造は、事前に組み立てられた自動アライメント（Ａｕｔｏ  Ａｌｉｇｎｍｅｎｔ，ＡＡ）デバイスと組み合わせて、光軸精度の問題を効果的に解消し、ＸおよびＹ方向におけるカメラ／ビデオカメラのサイズ縮小のさらなる利益をもたらす（ねじ込み構造は、ねじ山がＸおよびＹ方向において空間を大きく占めるため、過剰に大きなモジュールサイズをもたらす）。また、「黒色の影および黒色の点」の問題がある程度緩和される。
【０００４】
しかしながら、ねじ無し滑面構造の使用の拡大に伴い、この構造の短所が出現している。すなわち、レンズとボイスコイルモータとの間の不十分な接着結合力により、モジュールの不十分な焦点合わせがもたらされている。
【発明の概要】
【０００５】
本発明の実施形態は、レンズとボイスコイルモータとの間の不十分な接着結合力による、モジュールの不十分な焦点合わせの問題を解消するために、カメラモジュールおよび端末を提供する。
【０００６】
第１の態様によれば、本発明の実施形態は、カメラモジュールを提供し、カメラモジュールは、レンズおよびボイスコイルモータを含み、レンズは、ボイスコイルモータ内に配置される。ボイスコイルモータの内部側面の第１の部分は、レンズの外部側面の第１の部分に取り付けられる。ボイスコイルモータの内部側面の第２の部分には、ボイスコイルモータの内部側面の第１の部分に対して凹んだねじ山構造が設けられ、ねじ山構造およびレンズの外部側面の第２の部分が溝部を形成し、溝部は、接着剤で充填される。ボイスコイルモータの内部側面の第１の部分は、ボイスコイルモータの内部側面の下部であり、ボイスコイルモータの内部側面の第２の部分は、ボイスコイルモータの内部側面の上部である。レンズの外部側面の第１の部分は、レンズの外部側面の下部であり、レンズの外部側面の第２の部分は、レンズの外部側面の上部である。本発明のこの実施形態において、ボイスコイルモータの内部側面のねじ山は、接着剤オーバーフロー溝として用いられる。具体的には、レンズとボイスコイルモータとの間の結合力は、主に接着剤によって提供される。また、接着剤の注入の間に、接着剤は接着剤オーバーフロー溝を通って浸透してよく、それにより接着剤とボイスコイルモータとの間の結合力が効果的に向上する。これにより、レンズとボイスコイルモータとの間の不十分な接着結合力による、モジュールの不十分な焦点合わせの問題が解消される。
【０００７】
可能な設計において、ボイスコイルモータの内部側面におけるボイスコイルモータの内部側面の第１の部分の比率は、ボイスコイルモータの内部側面におけるボイスコイルモータの内部側面の第２の部分の比率と等しい。これは、ボイスコイルモータの内部側面の第１の部分およびボイスコイルモータの内部側面の第２の部分が各々、ボイスコイルモータの内部側面の半分を占めることを意味する。このように、レンズおよびボイスコイルモータは、ボイスコイルモータおよびレンズの組み立てを容易にするという前提で、可能な限り堅固に組み立てられ得る。さらに、この均等分割の設計解決手段はまた、組み立ておよび撮像効果を保証しながら、接着剤を減らす。すなわち、この設計解決手段は、組み立ての堅固さおよび組み立て費用の要求のバランスを取る。
【０００８】
可能な設計において、レンズの外部側面は、ねじ無し滑面構造を有する。
【０００９】
可能な設計において、レンズの外部側面には、レンズの外部側面を取り囲む少なくとも１つの溝が設けられ、溝は、接着剤で充填される。このように、接着剤の注入の間に、接着剤はボイスコイルモータに設けられた接着剤オーバーフロー溝およびレンズに設けられた接着剤オーバーフロー溝の両方を通って浸透してよく、ボイスコイルモータおよびレンズとの結合力をそれぞれ形成し、それによりボイスコイルモータとレンズとの間の接着結合力を向上させる。
【００１０】
可能な設計において、ねじ山構造は、一条ねじまたは二条ねじ形態を有し、一条ねじまたは二条ねじ形態のねじの種類および溝の種類は、三角形、矩形、台形、鋸歯、および管用ねじのうちの少なくとも１つを含む。
【００１１】
可能な設計において、ねじ深さは、０．２ミリメートルより大きい、またはそれに等しく、かつ０．５ミリメートルより小さい、またはそれに等しい。より深いねじ山は、より良好な固定効果を示す。反対に、より浅いねじ山は、比較的乏しい固定効果を示す。
【００１２】
可能な設計において、ねじ山構造は、少なくとも１巻き、かつ最大で５巻きのねじ山を有する。接着剤の消費および固定効果はいずれも、ねじ山の巻き数と正の相関を有する。具体的には、ねじ山の巻き数が多いほど、接着剤の消費が多くなるが、固定効果がより良好となることを示す。反対に、ねじ山の巻き数が少ないほど、接着剤は少ないが、固定効果が比較的乏しくなることを示す。
【００１３】
可能な設計において、接着剤は、熱硬化性接着剤である。
【００１４】
第２の態様によれば、本発明の一実施形態は、端末を提供し、端末は、第１の態様または第１の態様の可能な設計のいずれか１つに係るカメラモジュールを含む。
【図面の簡単な説明】
【００１５】
【図１】背景技術によるねじ込み構造を示す。
【００１６】
【図２】背景技術によるねじ無し滑面構造を示す。
【００１７】
【図３】本発明の一実施形態に係るカメラモジュールの断面図である。
【００１８】
【図４】本発明の一実施形態に係るボイスコイルモータへのレンズの嵌め込みの概略図である。
【００１９】
【図５】本発明の一実施形態に係る別のカメラモジュールの断面図である。
【００２０】
【図６】本発明の一実施形態に係る別のカメラモジュールの断面図である。
【００２１】
【図７】本発明の一実施形態に係る組み立て治具の概略構造図である。
【００２２】
【図８】本発明の一実施形態に係る組み立て治具へのボイスコイルモータの固定の概略構造図である。
【００２３】
【図９】本発明の一実施形態に係る接着剤の注入を通して得られる嵌め込み構造の概略構造図である。
【００２４】
【図１０】本発明の一実施形態に係る接着剤の注入を通して得られる別の嵌め込み構造の概略構造図である。
【００２５】
【図１１】本発明の一実施形態に係る端末の概略構造図である。
【００２６】
添付の図面における参照番号は、以下のとおり記載される：
１・・・レンズ、
２・・・ボイスコイルモータ、
３・・・ボイスコイルモータ２の内部側面の第１の部分、
４・・・レンズ１の外部側面の第１の部分、
５・・・ボイスコイルモータ２の内部側面の第２の部分、
６・・・ねじ山構造、
７・・・レンズ１の外部側面の第２の部分、
８・・・溝部、
９・・・溝部８の底部、
１０・・・レンズ１の外部側面の溝、
１１・・・溝１０の上面、
１２・・・溝１０の下面、
１３・・・組み立て治具、
１４・・・組み立て治具１３の溝、および
１５・・・サポートフレーム。
【発明を実施するための形態】
【００２７】
以下、本発明の実施形態における添付の図面を参照して、本発明の実施形態における技術的解決手段を説明する。
【００２８】
図３は、本発明の一実施形態に係るカメラモジュールの断面図である。カメラモジュールは、レンズ１およびボイスコイルモータ２を含む。レンズ１がボイスコイルモータ２内に配置された後、ボイスコイルモータ２の内部側面の第１の部分３が、レンズ１の外部側面の第１の部分４に取り付けられる。ボイスコイルモータ２の内部側面の第２の部分５には、ボイスコイルモータ２の内部側面の第１の部分３に対して凹んだねじ山構造６が設けられ、ねじ山構造６およびレンズ１の外部側面の第２の部分７は、溝部８を形成する。溝部８のボイスコイルモータ２に近い側は、ねじ山構造６を有し、溝部８のレンズ１に近い側は、ねじ無し滑面構造を有してよい。本発明のこの実施形態において、接着剤が溝部８の側壁（具体的には、ねじ山構造６およびレンズ１の外部側面の第２の部分７）に沿って溝部８の底部９まで流れて溝部８を充填するように、接着剤の注入の方式を用いて溝部８の上から接着剤を注入してもよい。
【００２９】
ボイスコイルモータ２の内部側面の第１の部分３は、ボイスコイルモータ２の内部側面の下部であり、ボイスコイルモータ２の内部側面の第２の部分５は、ボイスコイルモータ２の内部側面の上部である。レンズ１の外部側面の第１の部分４は、レンズ１の外部側面の下部であり、レンズ１の外部側面の第２の部分７は、レンズ１の外部側面の上部である。
【００３０】
本発明のこの実施形態に係るカメラモジュールにおいて、接着剤充填位置は、レンズ１のねじ無し滑面構造により形成される溝部８、および、凹んでおり、かつボイスコイルモータ２内に設けられるねじ山構造６である。ねじ込み構造がないため、レンズ１およびボイスコイルモータ２の組み立ての間の組み立ての難しさを効果的に低減することができる。また、レンズ１およびボイスコイルモータ２の組み立ての間、レンズ１の外部側面の第１の部分４のみがボイスコイルモータ２の内部側面の第１の部分３と接触し、それにより、ねじ無し滑面構造によりもたらされる簡便な組み立ての利点が効果的に用いられる。また、この嵌め込み構造では、ねじ込み構造によりもたらされる内部および外部のねじ山の間の摩擦がなく、したがって、ねじ山同士を互いに捻ったり圧搾したりすることによる破片が生じない。このように、ｐａｒｔｉｃｌｅ形成のリスクが比較的低い。ｐａｒｔｉｃｌｅとは、撮像領域内の破片または粉塵を指し、撮像中の画像における対応する領域内の「黒色の影または黒色の点」をもたらす。レンズ１がボイスコイルモータ２に密着している場合、接触面は、レンズ１の外部側面の第１の部分４およびボイスコイルモータ２の内部側面の第１の部分３であり、接合部の隙間が小さくなり、それにより位置決め精度の改善に役立つ。また、設けられたねじ山構造６により、接着剤の注入の間に、接着剤がねじ山構造６のそれぞれの歯を充填することが保証され得る。すなわち、接着剤を歯の中に含めることができ、それにより、レンズ１とボイスコイルモータ２との間の接着力を向上させる。
【００３１】
本発明のこの実施形態において、ねじ山構造６は浅いねじ山構造、すなわち、ねじ深さが比較的小さいねじ山構造として設けられてもよいことに留意されたい。例えば、ねじ深さは、０．２〜０．５ミリメートル（ｍｍ）に設定される。このようにして、嵌め込み構造のＸおよびＹ方向における寸法が効果的に縮小され、したがって、嵌め込み構造の体積が減少する。これにより、光軸精度が改善される。図４は、本発明の一実施形態に係るボイスコイルモータへのレンズの嵌め込みの概略図である。レンズ１およびボイスコイルモータ２が組み立てられ、接着剤の注入が完了した後、ねじ山構造６を有する接着剤層がレンズ１の外部側面の第２の部分７の外面に沿って形成される。すなわち、レンズ１とボイスコイルモータ２との間に結合接着剤が形成される。これは、レンズ１とボイスコイルモータ２との間に形成され、かつレンズ１の外部側面を取り囲む環状の溝部８が接着剤で充填された後、接着剤が溝部８と一致することを意味する。具体的には、接着剤のボイスコイルモータ２に近い側はねじ山構造を有し、接着剤が硬化した後に、接着剤およびボイスコイルモータ２のねじ山構造５は互いに埋め込まれ、接着剤のレンズ１に近い側は、ねじ無し滑面構造を有し、レンズ１に付着する。
【００３２】
結合接着剤によって形成される形状は、組み立てられたレンズ１およびボイスコイルモータ２によって形成される溝部８の構造に依存し、各ねじ山が所与の幅を有する場合、水平面に対する溝部８の深さは、ねじ山構造６のねじ山の数に依存する。したがって、ねじ山構造６がより多い数のねじ山を有する場合、充填領域が十分に大きいため、接着剤の注入の後に形成される接着剤はレンズ１とボイスコイルモータ２との間により良好な固定効果を有すると見なされ得る。
【００３３】
従来技術のねじ込み構造では、レンズ１およびボイスコイルモータ２の両方がねじ山を有する。そのようなねじ山構造は、レンズ１とボイスコイルモータ２との間の緊密な合致を特徴とするが、組み立ての難しさが増し、精度が比較的低い。具体的には、レンズのボイスコイルモータ２への装着については、実際の装着位置は理論的設計位置と大いに異なる。ねじ込み構造がほとんどの結合力を提供し、接着剤によって提供される結合力は補助的機能を有するに過ぎない。従来技術のねじ無し滑面構造では、レンズ１もボイスコイルモータ２もねじ山を有しない。これは、２つの滑面の間の接着剤の注入を介してレンズ１がボイスコイルモータ２に嵌め込まれ、接着剤が、レンズ１とボイスコイルモータ２との間の主な結合力を提供することを意味する。しかしながら、本発明のこの実施形態において、レンズ１にはねじ山が設けられておらず、ボイスコイルモータ２の内部側面のねじ山のみが接着剤オーバーフロー溝として用いられる。これは、レンズ１とボイスコイルモータ２との間の結合力が、主に接着剤によって提供されることを意味する。また、接着剤とボイスコイルモータ２との間の結合力を高めるために、接着剤の注入の間に、接着剤は接着剤オーバーフロー溝を通って浸透してもよい。
【００３４】
図５は、本発明の一実施形態に係る別のカメラモジュールの断面図である。具体的には、図３に示される嵌め込み構造に基づき、レンズ１の外部側面の第２の部分７に溝１０が追加される。溝１０を設けるための位置は図５に示される位置に限定されないことに留意されたい。本発明のこの実施形態において、溝１０は、ねじ山構造６に対向する位置に設けられてもよく、すなわち、ねじ山構造６、溝１０、およびレンズ１の外部側面の第１の部分４が共に溝部８を形成する。図６に示されるように、溝１０は、代替的に、ねじ山構造６に対向しない位置に設けられてもよく、すなわち、溝１０は、ボイスコイルモータ２の内部側面の第１の部分３に対向する位置に設けられる。
【００３５】
溝１０が図５に示される位置に位置していようと図６に示される位置に位置していようと、溝１０は、硬化型接着剤とレンズ１の外部側面との間の接着結合力を向上させるように作用する。図５に示される溝１０の位置と比較して、図６に示されるように、レンズ１の外部側面の第１の部分４がボイスコイルモータ２の内部側面の第１の部分３に密着している場合、接着剤が注入された後に溝１０を接着剤で充填することは非常に困難である。これは、図６に示される溝１０を設けるための位置が、硬化型接着剤とレンズ１の外部側面との間の接着結合力をある程度改善できるに過ぎないことを意味する。したがって、図６に示される溝１０を設けるための位置と比較して、図５に示される溝１０を設けるための位置は、明らかに、レンズ１およびボイスコイルモータ２の組み立ての堅固さをさらに向上させることができる。
【００３６】
さらに、本発明のこの実施形態において、ねじ部および溝は、２つの異なる構造である。ねじ部は、特定の断面を有し、かつ円筒面上に作成される、螺旋状の連続的な凸部または凹部を意味する。ねじ部が１巻きのみで円筒面を取り囲む場合、ねじ部の開始位置および終了位置は、ある距離だけずらして配置される。これは、ねじ部が１巻きのみで円筒面を取り囲む場合、ねじ部が通る軌道を完全に接合することができないことを意味する。反対に、溝は、特定の断面を有し、かつ円筒面上に作成される、連続的な凹部のループを意味する。溝が１巻きのみで円筒面を取り囲む場合、溝の開始位置および終了位置が完全に接合し、１巻きで円筒面を取り囲む窪みを形成する。
【００３７】
溝１０の上面１１および下面１２は、水平面に対して平行な平面、または水平面に対して角度をなす平面として配置されてもよいことに留意されたい。図５および図６は１つの可能な構造のみを各々示しており、本明細書において制限を課すものではない。
【００３８】
図５に示される構造を例として用いると、接着剤が溝部８の側壁に沿って溝部８の底部９まで流れるように、接着剤が溝部８の上から注入されるプロセスにおいて、溝部８を充填するために、接着剤は、ねじ山構造６および溝１０の両方を充填する。このように、接着剤はボイスコイルモータ２のみでなく、溝１０の存在により、レンズ１にも密着する。具体的には、硬化型接着剤は、レンズ１およびボイスコイルモータ２とそれぞれねじ込み構造を形成して、接着剤およびレンズ１を補強し、接着剤およびボイスコイルモータ２を補強する。図３に示されるカメラモジュールと比較して、図５に示されるカメラモジュールは、レンズ１の外部側面の第２の部分７に溝１０が設けられているため、より堅固である。
【００３９】
本発明のこの実施形態において、レンズ１の外部側面の第１の部分４に設けられる溝１０の数に制限は課されないことに留意されたい。溝１０は、例えば、１巻きでレンズ１の外面を取り囲む凹状の溝部、または所与の段差で配置され、かつ１巻きでレンズ１の外面を取り囲む複数の個別の点であってもよく、後者の場合にはすなわち、個々の溝１０の各々が凹部領域と見なされ得る。当然、溝１０は、図５に示されるようにレンズ１の外部側面の第２の部分７に、または図６に示されるようにレンズ１の外部側面の第１の部分４に設けられてもよい。代替的には、上部または底部から溝１０に隣接し、かつ溝１０と構造が同様または同一である、少なくとも１つの溝が設けられてもよく、本明細書において制限は課されない。
【００４０】
本発明のこの実施形態によって提供される別の可能な実装において、ねじ山構造６は、一条ねじまたは二条ねじ形態を有してもよい。複数の溝１０がレンズ１の外部側面に設けられ、複数の溝１０が互いに隣接し、ねじ山構造６と同様の構造を形成する場合、その構造は代替的に、一条ねじまたは二条ねじ形態を有してもよく、本明細書において制限は課されない。ねじ山構造６のねじの種類は、完全に同一であっても、完全に異なっても、部分的に同一であってもよい。ねじ山構造６のねじの種類および溝１０の種類は、三角形、矩形、台形、鋸歯、および管用ねじのいずれか１つであってもよく、当然、別の種類であってもよい。これは、本明細書において限定されない。ねじ山構造６について、ねじ山の巻き数は、レンズ１とボイスコイルモータ２との間の固定の固定効果のための現行の要件に従って決定されてよい。通常、ねじ山の巻き数は、１〜５に設定されてよい。一般に、接着剤の消費および固定効果はいずれも、ねじ山の巻き数と正の相関を有する。具体的には、ねじ山の巻き数が多いほど、接着剤の消費量が多くなるが、固定効果がより良好となることを示す。反対に、ねじ山の巻き数が少ないほど、接着剤は少なくなるが、固定効果が比較的乏しくなることを示す。さらに、ねじ山構造６のねじ深さは、固定効果に影響し得る。より深いねじ山は、より良好な固定効果を示す。反対に、より浅いねじ山は、比較的乏しい固定効果を示す。
【００４１】
レンズ１およびボイスコイルモータ２が組み立てられた後、ＵＶ熱硬化性接着剤または別の種類の熱硬化性接着剤がレンズ１とボイスコイルモータ２との間の継ぎ目に注入され、加熱および焼成により硬化される。図３を例として用いると、硬化型接着剤とねじ山構造６との間にスナップ構造が形成される。このように、接着剤をボイスコイルモータ２に密着させることができる。同様に、図５および図６を例として用いると、硬化型接着剤とねじ山構造６との間にスナップ構造が形成され、硬化型接着剤と溝１０との間にスナップ構造が形成される。このように、接着剤を、レンズ１およびボイスコイルモータ２にそれぞれ密着させることができる。これは、接着剤が鉛直方向の結合力を向上させ得ることを意味する。図３によれば、ボイスコイルモータ２側の接着剤には接着剤容器が設けられ、それにより、接着剤の結合力が大いに向上する。その結果、組み立ての間にトルクマッチングのプロセスがなく、組み立てが容易になる。さらに、組み立ての間にねじ山同士を互いに捻ったり圧搾したりしないため、プロセスｐａｒｔｉｃｌｅが生成されない。図５および図６によれば、図３に基づき、レンズ１に近い側の接着剤は、レンズ１の外部側面に設けられた接着剤容器に流れ込み、接着剤の結合力をさらに向上させる。
【００４２】
レンズ１およびボイスコイルモータ２の組み立て工程において、最初にレンズ１およびボイスコイルモータ２のための組み立て治具１３が組み立てデバイス上に配置される必要がある。組み立て治具１３は、図７に示される構造を有してもよい。本発明のこの実施形態において、組み立て治具１３の種類は限定されない。組み立て治具１３の上面の溝１４は、ボイスコイルモータ２の下部のサポートフレーム１５にスナップ嵌めすることができる。すなわち、ボイスコイルモータ２は、組み立て治具１３に固定され得る。図８に示されるように、洗浄されたボイスコイルモータ２は、組み立て治具１３内に設置されてもよい。その後、洗浄されたレンズ１がボイスコイルモータ２内に設置される。組み立て治具１３は、組み立ての間のボイスコイルモータ２の変位を制限するために、すなわち、位置を制限するために用いられる。接着剤は、レンズ１とボイスコイルモータ２との間の間隙、すなわち、レンズ１およびボイスコイルモータ２によって形成された溝部８の中に注入され、硬化される。図８は、図３に示される嵌め込み構造に基づく、接着剤の注入および硬化を実装するプロセスを示す。図９は、図５に示される嵌め込み構造に基づく、接着剤の注入および硬化を実装するプロセスを示す。図６は図５と同様であり、ここでは詳細を再度説明しないことに留意されたい。これらの図面において、網掛け領域は、接着剤で充填された部分を示す。
【００４３】
上記の実施形態において、接着剤が溝部８から溢れてレンズ１とボイスコイルモータ２との間の合致に影響を及ぼすのを防ぐために、本発明のこの実施形態において、溝は、接着剤オーバーフロー溝として機能するために、レンズ１の外部側面の第１の部分４の下および／またはボイスコイルモータ２の内部側面の第１の部分３の下に設けられてもよいことに留意されたい。
【００４４】
さらに、レンズ１およびボイスコイルモータ２の実際の組み立て工程において、ボイスコイルモータ２の内部側面における、ボイスコイルモータ２の内部側面の第１の部分３とボイスコイルモータ２の内部側面の第２の部分５との比率は、ボイスコイルモータ２の設計中に自在に割り当てられてよい。したがって、本発明のこの実施形態において、設計者は、現行の実際のカメラモジュール要件に基づく検討をし得る。ボイスコイルモータ２の内部側面の第２の部分５の比率がより高いことは、ボイスコイルモータ２の内部側面の第１の部分３の比率がより低いこと、設けられたねじ山構造６と接着剤との間の接触面積がより大きいこと、およびボイスコイルモータ２と硬化型接着剤との間の結合力がより大きく、すなわち、ボイスコイルモータ２とレンズ１との間の固定効果がより良好であることを示す。ボイスコイルモータ２の内部側面の第１の部分３の比率がより高いことは、ボイスコイルモータ２の内部側面の第２の部分５の比率がより低いことを意味する。この場合、設けられたねじ山構造６と接着剤との間の接触面積は比較的小さいが、密着したレンズ１とボイスコイルモータ２との間の接触面積はより大きく、それにより、組み立てを容易にしながら、レンズ１とボイスコイルモータ２との間の接合面積が最大限に向上される。さらに、設けられたねじ山構造６と接着剤との間の接触面積が比較的小さいため、溝部８は比較的小さい空間を占め、それにより、接着剤の注入の間の接着剤が低減される。
【００４５】
例示的な解決手段によれば、ボイスコイルモータ２の内部側面において、ボイスコイルモータ２の内部側面の第１の部分３の比率がボイスコイルモータ２の内部側面の第２の部分５の比率と等しい場合、具体的には、ボイスコイルモータ２の内部側面の第１の部分３およびボイスコイルモータ２の内部側面の第２の部分５が各々、ボイスコイルモータ２の内部側面の半分を占める場合、レンズ１およびボイスコイルモータ２は、ボイスコイルモータ２およびレンズ１の組み立てを容易にするという前提で、可能な限り堅固に組み立てられ得る。さらに、この均等分割の設計解決手段はまた、組み立ておよび撮像効果を保証しながら、接着剤を減らす。すなわち、この設計解決手段は、組み立ての堅固さおよび組み立て費用の要件を両立する。
【００４６】
本発明の一実施形態は、端末を提供し、端末は、図３〜図６に示されるカメラモジュールのうちの少なくとも１つを含む。端末上に設けられるカメラモジュールの組み立て方法については、上記の実施形態を参照されたい。ここでは詳細を再度説明しない。図１１に示されるように、端末にはカメラモジュールのうちの少なくとも１つが設けられてもよいことに留意されたい。例えば、カメラモジュールは、端末の前面カメラの一部および／または端末の背面カメラの一部であってもよく、本明細書において制限は課されない。
【００４７】
上述の説明は、本発明の特定の実装に過ぎないが、本発明の実施形態の保護範囲を制限することを目的としない。当業者によって容易に想到される、本発明の実施形態に開示される技術範囲内の任意の変形または代替は、本発明の実施形態の保護範囲に含まれるものとする。したがって、本発明の実施形態の保護範囲は、特許請求の範囲の保護範囲によって決まるものとする。
【図１】
2020533623.tif 000003
【図２】
2020533623.tif 000004
【図３】
2020533623.tif 000005
【図４】
2020533623.tif 000006
【図５】
2020533623.tif 000007
【図６】
2020533623.tif 000008
【図７】
2020533623.tif 000009
【図８】
2020533623.tif 000010
【図９】
2020533623.tif 000011
【図１０】
2020533623.tif 000012
【図１１】
2020533623.tif 000013
【手続補正書】
【提出日】令和2年3月25日(2020.3.25)
【手続補正１】
【補正対象書類名】明細書
【補正対象項目名】００３１
【補正方法】変更
【補正の内容】
【００３１】
本発明のこの実施形態において、ねじ山構造６は浅いねじ山構造、すなわち、ねじ深さが比較的小さいねじ山構造として設けられてもよいことに留意されたい。例えば、ねじ深さは、０．２〜０．５ミリメートル（ｍｍ）に設定される。このようにして、嵌め込み構造のＸおよびＹ方向における寸法が効果的に縮小され、したがって、嵌め込み構造の体積が減少する。これにより、光軸精度が改善される。図４は、本発明の一実施形態に係るボイスコイルモータへのレンズの嵌め込みの概略図である。レンズ１およびボイスコイルモータ２が組み立てられ、接着剤の注入が完了した後、ねじ山構造６を有する接着剤層がレンズ１の外部側面の第２の部分７の外面に沿って形成される。すなわち、レンズ１とボイスコイルモータ２との間に結合接着剤が形成される。これは、レンズ１とボイスコイルモータ２との間に形成され、かつレンズ１の外部側面を取り囲む環状の溝部８が接着剤で充填された後、接着剤が溝部８と一致することを意味する。具体的には、接着剤のボイスコイルモータ２に近い側はねじ山構造を有し、接着剤が硬化した後に、接着剤およびボイスコイルモータ２のねじ山構造６は互いに埋め込まれ、接着剤のレンズ１に近い側は、ねじ無し滑面構造を有し、レンズ１に付着する。
【手続補正２】
【補正対象書類名】明細書
【補正対象項目名】００３４
【補正方法】変更
【補正の内容】
【００３４】
図５は、本発明の一実施形態に係る別のカメラモジュールの断面図である。具体的には、図３に示される嵌め込み構造に基づき、レンズ１の外部側面の第２の部分７に溝１０が追加される。溝１０を設けるための位置は図５に示される位置に限定されないことに留意されたい。本発明のこの実施形態において、溝１０は、ねじ山構造６に対向する位置に設けられてもよく、すなわち、ねじ山構造６、溝１０、およびレンズ１の外部側面の第２の部分７が共に溝部８を形成する。図６に示されるように、溝１０は、代替的に、ねじ山構造６に対向しない位置に設けられてもよく、すなわち、溝１０は、ボイスコイルモータ２の内部側面の第１の部分３に対向する位置に設けられる。
【国際調査報告】
2020533623.tif 000014
2020533623.tif 000015
2020533623.tif 000016
2020533623.tif 000017